(57)【要約】【課題】電動工具とバッテリとが離れていたとしても、バッテリの状態を手元で容易に確認できるようにする。【解決手段】コネクタ装置５０は、園芸用バリカンに電気的に接続される電動工具側コネクタ部５１ａと、背負式バッテリ４０に電気的に接続されるバッテリ側コネクタ部５２ａと、電動工具側コネクタ部５１ａ寄りに設けられ、背負式バッテリ４０の状態を表示するディスプレイ５１ｃとを備える。よって、背負式バッテリ４０を背負った状態であっても、電動工具側コネクタ部５１ａ寄りのディスプレイ５１ｃ、つまり手元にあるディスプレイ５１ｃを確認することで、容易に背負式バッテリ４０の状態を把握することができる。これにより、従前のようにバッテリ（大容量バッテリ）の状態を確認する度に、当該バッテリを降ろす必要が無くなり、ひいては作業効率を大幅に向上させることが可能となる。【選択図】図２
2013071219.tif 000002
【特許請求の範囲】
【請求項１】
使用者の手元で操作される電動工具と、該電動工具を駆動するバッテリとの間に設けられ、前記電動工具と前記バッテリとを電気的に接続するコネクタ装置において、
前記電動工具に電気的に接続される電動工具側コネクタ部と、
前記バッテリに電気的に接続されるバッテリ側コネクタ部と、
前記電動工具側コネクタ部寄りに設けられ、前記バッテリの状態を表示する表示部とを備えることを特徴とするコネクタ装置。
【請求項２】
前記コネクタ装置は、前記電動工具に装着される装着ケースを備え、該装着ケースには、前記バッテリの無線送信部から伝送されるバッテリ状態信号を受信する無線受信部と、該無線受信部で受信した前記バッテリ状態信号に基づいて前記表示部に前記バッテリの状態を表示させる表示制御部とを設けることを特徴とする請求項１記載のコネクタ装置。
【請求項３】
前記表示制御部は、前記バッテリの状態として、残量情報、使用時間情報、温度情報、充電情報および異常情報のうちの少なくともいずれか１つを、前記表示部に表示させることを特徴とする請求項１または２記載のコネクタ装置。
【請求項４】
前記電動工具、前記バッテリおよび請求項１〜３のいずれか１項に記載のコネクタ装置を備えることを特徴とする電源装置。
【発明の詳細な説明】
【技術分野】
【０００１】
本発明は、使用者の手元で操作される電動工具と、該電動工具を駆動するバッテリとの間に設けられ、電動工具とバッテリとを電気的に接続するコネクタ装置、およびこれらの電動工具，バッテリ，コネクタ装置を備える電源装置に関する。
【背景技術】
【０００２】
従来、使用者の手元で操作される電動工具としては、例えば、植木および芝生の刈り込みや、果樹園の手入れ等で使用される園芸用バリカン（園芸工具）が知られている。この園芸用バリカンは、使用者によって把持されるハンドル部を備えたハウジングを有しており、当該ハウジングの内部には、電動機である電動モータが収容されている。さらにハウジングには、固定ブレード，可動ブレードおよびクランク機構を備えたブレードアタッチメントが取り付けられるようになっている。そして、使用者によりスイッチを操作して電動モータを回転駆動することで、クランク機構を介して可動ブレードが固定ブレードに対して相対移動する。これにより、ブレードアタッチメントを植木等の表面に沿わせて移動させることで、植木等の刈り込み作業が行われる。
【０００３】
このような園芸用バリカンとしては、持ち運びが便利でかつ操作性に優れたコードレスタイプの園芸用バリカンがある。このコードレスタイプの園芸用バリカンは、ハウジングにバッテリ装着部が設けられ、当該バッテリ装着部にバッテリパックを装着することで作動するようになっている。そして、園芸用バリカンの使用によりバッテリパックの充電が必要になると、バッテリパックをバッテリ装着部から取り外し、充電器を用いて充電するようになっている。
【０００４】
コードレスタイプの園芸用バリカンは、広い面積の庭園や果樹園等で使用されることもあり、この場合においては使用時間も長くなる。そのため、標準のバッテリパックでは容量が足りず、刈り込み作業等を効率良く行うのが困難になる。そこで、大容量バッテリから電力を供給するようにし、長時間の使用にも対応可能とすることが行われている。このような大容量バッテリを用いて電動工具を駆動するようにした技術としては、例えば、特許文献１に記載された技術が知られている。
【０００５】
特許文献１には、種々の電動工具（ハンマドリル等）に対応し得る背負式の電池電源装置（大容量バッテリ）が記載されており、使用者の手元で操作される電動工具と使用者によって背負われた大容量バッテリとの間には、スパイラルコード（電源コード）が電気的に接続して設けられている。これにより、使用者により電動工具のスイッチを操作することで、大容量バッテリから電源コードを介して電力が供給され、これにより電動工具を長時間に亘って駆動することができる。
【先行技術文献】
【特許文献】
【０００６】
【特許文献１】特開昭６４−０３９２４０号公報（第１図）
【発明の概要】
【発明が解決しようとする課題】
【０００７】
ところで、長時間に亘って電動工具を駆動できる大容量バッテリを用いる場合には、作業範囲を広くできることから、使用者は、電池残量や作業時間等を把握できた方が安心感を得られる場合がある。しかしながら、上述の特許文献１には、大容量バッテリに、例えばＬＥＤディスプレイ等の充電状態表示器（表示部）を設ける点が記載され、つまり使用者は、大容量バッテリを背負った状態のもとで表示部を確認するのが困難となっている。よって、電池残量や作業時間等を把握するのに、使用者はその都度、大容量バッテリを一旦降ろす必要が生じ、ひいては作業効率の悪化等を招いていた。
【０００８】
本発明の目的は、電動工具とバッテリとが離れていたとしても、バッテリの状態を手元で容易に確認することが可能なコネクタ装置およびそれを備える電源装置を提供することにある。
【課題を解決するための手段】
【０００９】
本発明のコネクタ装置（第１発明）は、使用者の手元で操作される電動工具と、該電動工具を駆動するバッテリとの間に設けられ、前記電動工具と前記バッテリとを電気的に接続するコネクタ装置において、前記電動工具に電気的に接続される電動工具側コネクタ部と、前記バッテリに電気的に接続されるバッテリ側コネクタ部と、前記電動工具側コネクタ部寄りに設けられ、前記バッテリの状態を表示する表示部とを備えることを特徴とする。
【００１０】
本発明のコネクタ装置（第２発明）は、前記コネクタ装置は、前記電動工具に装着される装着ケースを備え、該装着ケースには、前記バッテリの無線送信部から伝送されるバッテリ状態信号を受信する無線受信部と、該無線受信部で受信した前記バッテリ状態信号に基づいて前記表示部に前記バッテリの状態を表示させる表示制御部とを設けることを特徴とする。
【００１１】
本発明のコネクタ装置（第３発明）は、前記表示制御部は、前記バッテリの状態として、残量情報、使用時間情報、温度情報、充電情報および異常情報のうちの少なくともいずれか１つを、前記表示部に表示させることを特徴とする。
【００１２】
本発明の電源装置は、前記電動工具、前記バッテリおよび前記第１発明〜第３発明のいずれかのコネクタ装置を備えることを特徴とする。
【発明の効果】
【００１３】
本発明のコネクタ装置（第１発明）によれば、電動工具に電気的に接続される電動工具側コネクタ部と、バッテリに電気的に接続されるバッテリ側コネクタ部と、電動工具側コネクタ部寄りに設けられ、バッテリの状態を表示する表示部とを備えている。したがって、例えば、バッテリを背負った状態であっても、電動工具側コネクタ部寄りの表示部、つまり手元にある表示部を確認することで、容易にバッテリの状態を把握することができる。これにより、従前のようにバッテリの状態を確認する度に、当該バッテリを降ろす必要が無くなり、ひいては作業効率を大幅に向上させることが可能となる。
【００１４】
本発明のコネクタ装置（第２発明）によれば、コネクタ装置は、電動工具に装着される装着ケースを備え、該装着ケースには、バッテリの無線送信部から伝送されるバッテリ状態信号を受信する無線受信部と、該無線受信部で受信したバッテリ状態信号に基づいて表示部にバッテリの状態を表示させる表示制御部とを設けるので、バッテリの状態は無線で、電動工具の電力は有線で各々送ることができる。これにより、コネクタ装置とバッテリとの間の距離を延長する場合において、汎用の延長コード（電源用）を用いることができる。
【００１５】
本発明のコネクタ装置（第３発明）によれば、表示制御部は、バッテリの状態として、残量情報、使用時間情報、温度情報、充電情報および異常情報のうちの少なくともいずれか１つを、表示部に表示させるので、使用者は表示部を目視することにより、使用者が必要とするバッテリの情報を容易に得ることができる。
【００１６】
本発明の電源装置によれば、電動工具、バッテリおよび前記第１発明〜第３発明のいずれかのコネクタ装置を備えるので、上述の第１発明〜第３発明と同様の作用効果を奏することができる。
【図面の簡単な説明】
【００１７】
【図１】コネクタ装置が装着された園芸用バリカンを示す斜視図である。
【図２】大容量の背負式バッテリ（延長コード付き）を示す斜視図である。
【図３】コネクタ装置を形成する装着ケースの側部を示す平面図である。
【図４】図３のＡ矢視図（表示部側）である。
【図５】背負式バッテリの電気ブロック図とコネクタ装置の電気回路図である。
【図６】（ａ）は残量情報の表示例、（ｂ）は時間情報の表示例、（ｃ）は温度情報の表示例を示す図である。
【図７】（ａ）は充電時の表示例、（ｂ）はエラー時の表示例を示す図である。
【発明を実施するための形態】
【００１８】
以下、本発明の一実施の形態について、図面を用いて詳細に説明する。
【００１９】
図１はコネクタ装置が装着された園芸用バリカンを示す斜視図を、図２は大容量の背負式バッテリ（延長コード付き）を示す斜視図を、図３はコネクタ装置を形成する装着ケースの側部を示す平面図を、図４は図３のＡ矢視図（表示部側）を、図５は背負式バッテリの電気ブロック図とコネクタ装置の電気回路図を、図６（ａ）は残量情報の表示例、（ｂ）は時間情報の表示例、（ｃ）は温度情報の表示例を示す図を、図７（ａ）は充電時の表示例、（ｂ）はエラー時の表示例を示す図をそれぞれ表している。
【００２０】
図１に示すように、電動工具としての園芸用バリカン（ヘッジトリマ）１０は、持ち運びが便利でかつ操作性に優れ、使用者の手元で操作されるコードレスの動力工具であって、図示しない植木等の表面を刈り込むのに使用される。園芸用バリカン１０は、本発明における電源装置を構成しており、本体部２０とブレード部（ブレードアタッチメント）３０とを備えている。
【００２１】
本体部２０は、モータ収容部２１ａ，ハンドル部２１ｂおよびバッテリ装着部２１ｃを有するハウジング２１を備えており、モータ収容部２１ａの内部には、電動機としての電動モータ２２が収容されている。電動モータ２２は、外周にコイル（図示せず）が巻き付けられたアーマチュア２２ａを備え、アーマチュア２２ａの回転中心には回転軸２２ｂが貫通して固定されている。そして、図示しないブラシおよびコンミテータを介してコイルに駆動電流を供給することで、アーマチュア２２ａに回転力（電磁力）が発生し、回転軸２２ｂが回転するようになっている。回転軸２２ｂの先端側には減速機構（図示せず）が設けられ、回転軸２２ｂの回転力は減速機構を介してブレード部３０のクランク機構３３に伝達されるようになっている。
【００２２】
ハンドル部２１ｂには、使用者により操作されるスイッチ２３が設けられ、当該スイッチ２３を操作することで、電動モータ２２に駆動電流が供給されるようになっている。なお、ハンドル部２１ｂにはロックオフボタン２４が設けられ、当該ロックオフボタン２４を押しながらスイッチ２３を操作しない限り、電動モータ２２には駆動電流が供給されない。これにより、スイッチ２３が不用意に操作状態となって園芸用バリカン１０が作動してしまうのを防止している。
【００２３】
バッテリ装着部２１ｃは、後方側（図中右側）に向けて開口しており、当該開口部分には、コネクタ装置５０の装着ケース５１が装着されるようになっている。バッテリ装着部２１ｃの内側には、導電部材よりなる複数の接続端子（図示せず）が設けられ、これらの各接続端子には、コネクタ装置５０の電動工具側コネクタ部５１ａ（図２，３参照）に設けた複数の接続端子（図示せず）が電気的に接続されるようになっている。
【００２４】
ここで、コネクタ装置５０の装着ケース５１には、図３，４に示すように、使用者により把持されるラッチ５１ｂが設けられ、当該ラッチ５１ｂを把持することで、バッテリ装着部２１ｃに対して装着ケース５１を装着したり外したりでき、これにより園芸用バリカン１０とコネクタ装置５０との電気的な接続および解除を行うことができる。また、装着ケース５１のバッテリ装着部２１ｃに対する接続形状は、図示しない標準のバッテリパック（低容量バッテリ）のバッテリ装着部２１ｃに対する接続形状と同じ形状となっており、標準のバッテリパックに替えてコネクタ装置５０を使用できるようにしている。
【００２５】
図１に示すように、ブレード部３０の基端側（図中右側）には、ブレード部３０を本体部２０に装着するための取付本体３１が設けられ、当該取付本体３１は複数の取付ネジ（図示せず）によって本体部２０に取り付けられるようになっている。また、取付本体３１には固定ブレード３２の基端側が固定され、取付本体３１の内部にはクランク機構３３が収容されている。
【００２６】
固定ブレード３２には、その長手方向に沿って相対移動自在に可動ブレード３４が重なるようにして設けられ、可動ブレード３４の基端側は取付本体３１の内部に導かれている。そして、可動ブレード３４の基端側にはクランク機構３３が設けられ、当該クランク機構３３の動作によって、可動ブレード３４は固定ブレード３２に対して相対的に往復移動するようになっている。
【００２７】
ブレード部３０は、断面が略Ｌ字形状に形成されたチップレシーバ３５を備えており、当該チップレシーバ３５は、２つのノブナット３６によって固定ブレード３２等の固定部分に固定されている。このようにチップレシーバ３５を設けることで、刈り取った枝葉をすくい受けて、刈り込み作業を終えた後の清掃作業の効率向上を図れるようにしている。
【００２８】
図２に示すように、コネクタ装置５０のバッテリ側コネクタ部５２ａには、園芸用バリカン１０を駆動するための大容量バッテリとしての背負式バッテリ（バッテリ）４０が電気的に接続されている。背負式バッテリ４０は、本発明における電源装置を構成しており、略直方体形状に形成されたケーシング４１を備え、当該ケーシング４１の内部には複数の電池セル（詳細図示せず）よりなるリチウムイオン電池４２が収容されている。また、ケーシング４１の内部でリチウムイオン電池４２の近傍には制御ユニット４３が設けられ、当該制御ユニット４３に設けられた充電ソケットおよび出力ソケット（何れも図示せず）を介して充電と放電とを繰り返すようになっている。
【００２９】
制御ユニット４３の出力ソケットには、バッテリコード４４の一端側が電気的に接続されており、当該バッテリコード４４の他端側にはコネクタ部４４ａが一体に設けられている。バッテリコード４４のコネクタ部４４ａには、コネクタ装置５０を介して園芸用バリカン１０が電気的に接続されるようになっている。ここで、図中符号４５は電源用の汎用延長コードであって、当該汎用延長コード４５は、コネクタ装置５０と背負式バッテリ４０との間の距離を延長するもので、使用者が必要に応じて追加可能となっている。
【００３０】
図２，５に示すように、制御ユニット４３には、リチウムイオン電池４２の状態（電圧等）を検出する電池状態検出部４３ａと、当該電池状態検出部４３ａにより検出されたリチウムイオン電池４２の状態から、リチウムイオン電池４２の残量，使用時間および温度等を演算する演算部４３ｂとが設けられている。また、制御ユニット４３には無線送信部４３ｃが設けられ、当該無線送信部４３ｃは、リチウムイオン電池４２の状態を示す無線信号（バッテリ状態信号）を外部に伝送するようになっている。
【００３１】
ここで、背負式バッテリ４０は充電機能を有していても良く、電池状態検出部４３ａは、リチウムイオン電池４２の状態として、充電ソケットにＡＣ電源（１００Ｖ）が接続されて充電中か否かを示す充電情報を生成し、当該充電情報を無線送信部４３ｃに送出するようになっていても良い。また、電池状態検出部４３ａは、リチウムイオン電池４２の状態として、リチウムイオン電池４２が寿命を迎えたことやコネクタ装置５０が接続不良を起こしていること等の異常情報を生成し、当該異常情報を無線送信部４３ｃに送出するようになっている。
【００３２】
図２に示すように、背負式バッテリ４０のケーシング４１には、肩ベルト４１ａと腰ベルト４１ｂとが一体に設けられおり、これにより使用者が作業中において前屈等をした場合であっても、背負式バッテリ４０は使用者の背中からずれたりするようなことは無い。また、各ベルト４１ａ，４１ｂには、それぞれ長さ調整部（図示せず）が設けられ、これにより使用者の種々の体格に合わせて調整可能となっている。
【００３３】
図１〜４に示すように、園芸用バリカン１０と背負式バッテリ４０との間には、これらを電気的に接続するためのコネクタ装置５０が設けられている。コネクタ装置５０は、本発明における電源装置を構成しており、当該コネクタ装置５０は、装着ケース５１とコネクタコード５２とを備えている。つまり、本発明におけるコネクタ装置は、装着ケース５１とコネクタコード５２とから構成されている。装着ケース５１は園芸用バリカン１０のバッテリ装着部２１ｃに装着され、装着ケース５１には電動工具側コネクタ部５１ａ，ラッチ５１ｂおよびディスプレイ（表示部）５１ｃが一体に設けられている。
【００３４】
装着ケース５１にはコネクタコード５２の一端側が接続され、当該コネクタコード５２の他端側にはバッテリ側コネクタ部５２ａが一体に設けられている。バッテリ側コネクタ部５２ａは、汎用延長コード４５を介して背負式バッテリ４０に電気的に接続されている。また、コネクタコード５２の一端側は、装着ケース５１の電動工具側コネクタ部５１ａに設けられた複数の接続端子の一部に電気的に接続されている。つまり、コネクタ装置５０は、園芸用バリカン１０と背負式バッテリ４０とを、互いに電気的に接続するようになっている。
【００３５】
図３，５に示すように、装着ケース５１の内部には、制御ユニット５３が収容されている。制御ユニット５３には、背負式バッテリ４０の無線送信部４３ｃから伝送される無線信号を受信する無線受信部５３ａと、無線受信部５３ａで受信した無線信号に基づいて、リチウムイオン電池４２の状態（残量，使用時間，温度，充電情報および異常情報）をディスプレイ５１ｃに表示させる表示制御部５３ｂとが設けられている。
【００３６】
図１，４に示すように、ディスプレイ５１ｃは、装着ケース５１のコネクタコード５２側に向けられており、これにより園芸用バリカン１０を使用する使用者は、ディスプレイ５１ｃを園芸用バリカン１０の上方側から容易に目視できるようになっている。このように、ディスプレイ５１ｃは、コネクタ装置５０を形成する電動工具側コネクタ部５１ａおよびバッテリ側コネクタ部５２ａのうちの電動工具側コネクタ部５１ａ寄りに設けられており、使用者の手元で確認（目視）できるようになっている。
【００３７】
図４に示すように、装着ケース５１におけるディスプレイ５１ｃの図中下方側には、ディスプレイ５１ｃに表示される表示内容を変更するための表示モード切替スイッチ５４が設けられている。表示モード切替スイッチ５４は使用者により操作され、使用者が表示モード切替スイッチ５４を操作する毎に、ディスプレイ５１ｃには、図６に示すような表示モードＡ〜Ｃが交互に表示されるようになっている。
【００３８】
ここで、ディスプレイ５１ｃは、バックライト付きのカラー液晶ディスプレイを採用しており、種々の情報を分かり易く明確に使用者に向けて表示できるようになっている。以下、各表示モードＡ〜Ｃの表示内容について説明する。
【００３９】
［表示モードＡ］
表示モードＡは、園芸用バリカン１０の使用を開始した際に表示されるデフォルトで表示される表示内容であり、リチウムイオン電池４２の残量をインジケータ表示するようになっている。ここで、リチウムイオン電池４２の残量は、演算部４３ｂがリチウムイオン電池４２の電圧情報に基づいて演算処理し、算出するようになっている。そして、リチウムイオン電池４２の容量が充分である場合には、表示制御部５３ｂによってＦＵＬＬ側のインジケータを含む全てのインジケータを表示し、リチウムイオン電池４２の容量が不充分である場合にはＥＭＰＴＹ側のインジケータのみを表示するようにしている。ここで、図中白抜部分（図中左側）は例えば緑色表示とし、図中濃色網掛け部分（図中右側）は例えば赤色表示とし、その中間の網掛け部分は例えば黄色表示とする。ただし、インジケータのデザインや配色は図示のものに限らず、他のデザインや配色であっても良い。
【００４０】
［表示モードＢ］
表示モードＡの状態から、使用者により表示モード切替スイッチ５４を１回押すと、表示制御部５３ｂによって表示モードＢに切り替えられる。表示モードＢは、リチウムイオン電池４２の使用可能時間をデジタル表示するようになっている。ここで、リチウムイオン電池４２の使用可能時間は、演算部４３ｂが、リチウムイオン電池４２の電圧情報や、使用工具の消費電力情報（この場合は園芸用バリカン１０の消費電力情報）等に基づいて演算処理し、算出するようになっている。なお、使用可能時間の表示に限らず、使用時間（園芸用バリカン１０の通算作動時間）を表示するようにしても良い。
【００４１】
［表示モードＣ］
表示モードＢの状態から、使用者により表示モード切替スイッチ５４を１回押すと、表示制御部５３ｂによって表示モードＣに切り替えられる。表示モードＣは、リチウムイオン電池４２の温度をインジケータ表示するようになっている。ここで、リチウムイオン電池４２の温度は、演算部４３ｂが、使用工具の電力負荷情報や使用工具の使用時間情報等に基づいて演算処理し、算出するようになっている。そして、リチウムイオン電池４２の温度が低い場合には、表示制御部５３ｂによってＣｏｏｌ側のインジケータのみを表示し、リチウムイオン電池４２の温度が高い場合にはＨｅａｔ側のインジケータを含む全てのインジケータを表示するようになっている。ここで、図中白抜き部分（図中左側）は例えば水色表示とし、図中濃色網掛部分（図中右側）は例えば赤色表示とし、その中間の網掛け部分は例えば橙色表示とする。ただし、インジケータのデザインや配色は図示のものに限らず、他のデザインや配色であっても良い。
【００４２】
［充電／エラー表示］
上記に加えてディスプレイ５１ｃは、リチウムイオン電池４２が充電中である場合には、図７（ａ）に示すように充電表示をするようになっている。具体的には、リチウムイオン電池４２の充電状態を、パーセンテージでデジタル表示するようになっている。さらに、ディスプレイ５１ｃは、コネクタ装置５０や汎用延長コード４５等が接続不良を起こしている場合には、図７（ｂ）に示すように警告マークと警告内容とを表示（エラー表示）するようになっている。ただし、ディスプレイ５１ｃに表示する警告内容としては、他の警告情報、例えば、リチウムイオン電池４２が寿命を迎えたこと、過負荷状態（背負式バッテリ４０や電動モータ２２に大電流が流れた状態）、背負式バッテリ４０や電動モータ２２の高温状態等を表示させるようにしても良い。
【００４３】
以上詳述したように、本実施の形態に係るコネクタ装置５０によれば、園芸用バリカン１０に電気的に接続される電動工具側コネクタ部５１ａと、背負式バッテリ４０に電気的に接続されるバッテリ側コネクタ部５２ａと、電動工具側コネクタ部５１ａ寄りに設けられ、背負式バッテリ４０の状態を表示するディスプレイ５１ｃとを備えている。
【００４４】
したがって、背負式バッテリ４０を背負った状態であっても、電動工具側コネクタ部５１ａ寄りのディスプレイ５１ｃ、つまり手元にあるディスプレイ５１ｃを確認することで、容易に背負式バッテリ４０の状態を把握することができる。これにより、従前のようにバッテリ（大容量バッテリ）の状態を確認する度に、当該バッテリを降ろす必要が無くなり、ひいては作業効率を大幅に向上させることが可能となる。
【００４５】
また、本実施の形態に係るコネクタ装置５０によれば、コネクタ装置５０は、園芸用バリカン１０に装着される装着ケース５１を備え、この装着ケース５１には、背負式バッテリ４０の無線送信部４３ｃから伝送される無線信号を受信する無線受信部５３ａと、この無線受信部５３ａで受信した無線信号に基づいてディスプレイ５１ｃに背負式バッテリ４０の状態を表示させる表示制御部５３ｂとを設けた。
【００４６】
したがって、背負式バッテリ４０の状態は無線で、園芸用バリカン１０の電力は有線で各々送ることができる。これにより、コネクタ装置５０と背負式バッテリ４０との間の距離を延長する場合に、安価な汎用延長コード４５（電源用）を用いることができる。
【００４７】
さらに、本実施の形態に係るコネクタ装置５０によれば、表示制御部５３ｂは、背負式バッテリ４０の状態として、残量情報、使用時間情報、温度情報、充電情報および異常情報のうちの少なくともいずれか１つを、ディスプレイ５１ｃに表示させるので、使用者はディスプレイ５１ｃを目視することにより、使用者が必要とする背負式バッテリ４０の情報を容易に得ることができる。
【００４８】
本発明は上記実施の形態に限定されるものではなく、その要旨を逸脱しない範囲で種々変更可能であることは言うまでもない。例えば、上記実施の形態においては、電動工具（電源装置）として園芸用バリカン１０を採用したものを示したが、本発明はこれに限らず、コードレスのドライバ装置，丸のこ，ジグソー，刈払機等、他の電動工具にも採用することができる。
【００４９】
また、上記実施の形態においては、電源装置としてのバッテリ（大容量バッテリ）として、使用者によって背負われる背負式バッテリ４０であるものを示したが、本発明はこれに限らず、据え置き型のバッテリであっても良い。この場合、園芸用バリカン１０と据え置き型バッテリとの間に、必要に応じて複数の汎用延長コード４５を電気的に接続することで、充分な作業範囲を確保することが可能となる。
【００５０】
さらに、上記実施の形態においては、背負式バッテリ４０からコネクタ装置５０に向けて無線信号を伝送するものを示したが、本発明はこれに限らず、バッテリ状態信号を伝送するための信号コードを備えた専用の延長コード（電源／信号用）を用いることもできる。この場合、背負式バッテリ４０の制御ユニット４３に表示制御部を設け、コネクタ装置５０の制御ユニット５３を省略することが可能となる。
【００５１】
また、上記実施の形態においては、電源装置としてのコネクタ装置５０に表示モード切替スイッチ５４を設け、当該表示モード切替スイッチ５４を使用者により操作することで、表示モードＡ〜Ｃに切り替えられるようにしたものを示したが、本発明はこれに限らず、所定時間経過（例えば２．０ｓｅｃ）毎に、表示モードＡ〜Ｃを自動的に切り替えるようにしても良い。この場合、表示モード切替スイッチ５４を省略することができ、コネクタ装置５０の簡素化および軽量化等を図ることが可能となる。
【符号の説明】
【００５２】
１０…園芸用バリカン（電動工具，電源装置）、２０…本体部、２１…ハウジング、２１ａ…モータ収容部、２１ｂ…ハンドル部、２１ｃ…バッテリ装着部、２２…電動モータ、２２ａ…アーマチュア、２２ｂ…回転軸、２３…スイッチ、２４…ロックオフボタン、３０…ブレード部、３１…取付本体、３２…固定ブレード、３３…クランク機構、３４…可動ブレード、３５…チップレシーバ、３６…ノブナット、４０…背負式バッテリ（バッテリ，電源装置）、４１…ケーシング、４１ａ…肩ベルト、４１ｂ…腰ベルト、４２…リチウムイオン電池、４３…制御ユニット、４３ａ…電池状態検出部、４３ｂ…演算部、４３ｃ…無線送信部、４４…バッテリコード、４４ａ…コネクタ部、４５…汎用延長コード、５０…コネクタ装置（電源装置）、５１…装着ケース、５１ａ…電動工具側コネクタ部、５１ｂ…ラッチ、５１ｃ…ディスプレイ（表示部）、５２…コネクタコード、５２ａ…バッテリ側コネクタ部、５３…制御ユニット、５３ａ…無線受信部、５３ｂ…表示制御部、５４…表示モード切替スイッチ
【図１】
2013071219.tif 000003
【図２】
2013071219.tif 000004
【図３】
2013071219.tif 000005
【図４】
2013071219.tif 000006
【図５】
2013071219.tif 000007
【図６】
2013071219.tif 000008
【図７】
2013071219.tif 000009